(57)【特許請求の範囲】
【請求項１】
配管部品の経時変化を試験する比較実験装置であって、
流体源に接続され、流体を改質する第１改質手段を設置可能な第１供給手段と、
前記第１供給手段から流体が供給されるとともに、前記配管部品を収納する第１収納手段と、を有する第１配管系統部と、
前記流体源に接続され、流体を改質する第２改質手段を設置可能な第２供給手段と、
前記第２供給手段から流体が供給されるとともに、前記配管部品を収納する第２収納手段と、を有する第２配管系統部と、を備える、
ことを特徴とする比較実験装置。
【請求項２】
前記比較実験装置は、前記第１収納手段に収納された前記配管部品及び前記第２収納手段に収納された前記配管部品の経時変化を観察する観察手段を備える、
ことを特徴とする請求項１に記載の比較実験装置。
【請求項３】
前記観察手段は、前記配管部品を撮像する撮像手段である、
ことを特徴とする請求項２に記載の比較実験装置。
【請求項４】
前記撮像手段は、撮像した画像又は映像を、通信回線を介して表示手段に出力する、
ことを特徴とする請求項３に記載の比較実験装置。
【請求項５】
前記観察手段は、前記配管部品の性状を計測する計測手段である、
ことを特徴とする請求項２に記載の比較実験装置。
【請求項６】
前記比較実験装置は、前記第１供給手段から供給される流体及び前記第２供給手段から供給される流体の性状を測定する測定手段を備える、
ことを特徴とする請求項１から５までのいずれか１項に記載の比較実験装置。
【請求項７】
配管部品の経時変化を試験する比較実験方法であって、
流体源に接続され、流体を改質する第１改質手段を設置可能な第１供給手段と、
前記第１供給手段から流体が供給されるとともに、前記配管部品を収納する第１収納手段と、を有する第１配管系統部と、
前記流体源に接続され、流体を改質する第２改質手段を設置可能な第２供給手段と、
前記第２供給手段から流体が供給されるとともに、前記配管部品を収納する第２収納手段と、を有する第２配管系統部と、を備える比較実験装置を用いる
ことを特徴とする比較実験方法。
【請求項８】
前記第２改質手段に、前記第１改質手段と異なる改質方法を採用するとともに、
前記第１収納手段及び前記第２収納手段に、同じ材質の前記配管部品を収納するか、
あるいは、
前記第１改質手段及び前記第２改質手段に、同じ改質方法を採用するとともに、
前記第２収納手段に、前記第１収納手段に収納した前記配管部品と異なる材質のものを収納する
ことを特徴とする請求項７に記載の比較実験方法。
【請求項９】
前記第１供給手段に、前記第１改質手段を設置するとともに、
前記第２供給手段に、前記第２改質手段を設置しない
ことを特徴とする請求項７に記載の比較実験方法。
【発明の詳細な説明】
【技術分野】
【０００１】
本発明は、配管部品の経時変化を試験する比較実験装置及び比較実験方法に関するものである。
【背景技術】
【０００２】
上水や工業用水に接続される給水配管系統や、空調器、温調器など熱交換媒体配管系統に使用される配管、継手、バルブ、ポンプなどの配管部品は、経年変化により、内面（接液面）に錆（赤錆や黒錆）、スケール、スライムなど付着異物が発生する。そして、付着異物が発生すると、濁り・着色（赤水）やＰＨ変化などの水質の悪化、流量や圧力の低下、腐食の進行による強度の劣化又は液漏れなどにつながっていた。【０００３】
そのため、付着異物の発生を防止するために、流体を改質する改質手段を設けることが行われている（特許文献１参照）。【０００４】
一方、配管の内面の付着異物などの発生状態を確認するために、配管の内部にカメラを挿入したり、配管の少なくとも一部に内部が視認可能な透明材料を用いたり、あるいは、既設配管系統から検査用に配管の一部をサンプルとして切断したりすることも行われている（特許文献２参照）。【０００５】
また、特許文献３には、循環配管系統に、透明な本配管と透明なバイパス配管とを設けるとともに、錆発生源を設けて、配管の内面の経時変化を確認する実験装置が開示されている。
【先行技術文献】
【特許文献】
【０００６】
【特許文献１】特開２００５−０００８５８号公報
【特許文献２】実開昭６４−０３８３９４号公報
【特許文献３】特開２０１２−１１７５９４号公報
【発明の概要】
【発明が解決しようとする課題】
【０００７】
しかしながら、特許文献３に記載の実験装置では、配管が透明であることを前提としているため、透明性を有する材料に限られ、より一般的な、炭素鋼鋼管（ＳＧＰ）、亜鉛メッキ鋼管（ＳＧＰＷ）、ステンレス鋼鋼管（ＳＵＳ）などの金属管の実験に適用することができないし、また、配管である母材が金属でないため、錆の進行状況や腐食状況を正確に確認することがでない。【０００８】
そこで、本発明は以上の課題に鑑みてなされたものであり、配管部品の材質に限られることなく、容易に比較実験を行える比較実験装置及び比較実験方法を提供することを目的とする。
【課題を解決するための手段】
【０００９】
（１）本発明に係る１つの態様は、配管部品の経時変化を試験する比較試験装置であって、流体源に接続され、流体を改質する第１改質手段を設置可能な第１供給手段と、前記第１供給手段から流体が供給されるとともに、前記配管部品を収納する第１収納手段と、を有する第１配管系統部と、前記流体源に接続され、流体を改質する第２改質手段を設置可能な第２供給手段と、前記第２供給手段から流体が供給されるとともに、前記配管部品を収納する第２収納手段と、を有する第２配管系統部と、を備える、ものである。
（２）上記（１）の態様において、前記比較試験装置は、前記第１収納手段に収納された前記配管部品及び前記第２収納手段に収納された前記配管部品の経時変化を観察する観察手段を備えてもよい。
（３）上記（２）の態様において、前記観察手段は、前記配管部品を撮像する撮像手段であってもよい。
（４）上記（３）の態様において、前記撮像手段は、撮像した画像又は映像を、通信回線を介して表示手段に出力してもよい。
（５）上記（２）の態様において、前記撮像手段は、前記配管部品の性状を計測する計測手段であってもよい。
（６）上記（１）から（５）までのいずれか１つの態様において、前記比較実験装置は、前記第１供給手段から供給される流体及び前記第２供給手段から供給される流体の性状を測定する測定手段を備えてもよい。
（７）本発明に係る別の１つの態様は、配管部品の経時変化を試験する比較実験方法であって、流体源に接続され、流体を改質する第１改質手段を設置可能な第１供給手段と、前記第１供給手段から流体が供給されるとともに、前記配管部品を収納する第１収納手段と、を有する第１配管系統部と、前記流体源に接続され、流体を改質する第２改質手段を設置可能な第２供給手段と、前記第２供給手段から流体が供給されるとともに、配管部品を収納する第２収納手段と、を有する第２配管系統部と、を備える比較実験装置を用いるものである。
（８）上記（７）の態様において、前記第２改質手段に、前記第１改質手段と異なる改質方法を採用するとともに、前記第１収納手段及び前記第２収納手段に、同じ材質の前記配管部品を収納するか、あるいは、前記第１改質手段及び前記第２改質手段に、同じ改質方法を採用するとともに、前記第２収納手段に、前記第１収納手段に収納した前記配管部品と異なる材質のものを収納してもよい。
（９）上記（７）の態様において、前記第１供給手段に、前記第１改質手段を設置するとともに、前記第２供給手段に、前記第２改質手段を設置しなくてもよい。
【発明の効果】
【００１０】
本発明によれば、配管部品の材質に限られることなく、容易に比較実験を行える比較実験装置及び比較実験方法を提供することができる。
【図面の簡単な説明】
【００１１】
【図１】本発明に係る実施形態の比較実験装置を示す概略図である。
【図２】表示手段の表示形態を示す概略図である。
【図３】本発明に係る第２実施形態の比較実験装置を示す概略図である。
【図４】本発明に係る第３実施形態の比較実験装置を示す概略図である。
【発明を実施するための形態】
【００１２】
以下、本発明の実施形態について、図面を参照して詳細に説明する。本明細書の実施形態においては、全体を通じて、同一の部材には同一の符号を付している。
【００１３】
図１は、本発明に係る実施形態の比較実験装置１を示す概略図である。
比較実験装置１は、後述する第１改質手段１４及び第２改質手段２４の改質効果を確認するために、配管部品Ｐの経時変化を観察できるように構成されたものであり、第１配管系統部１０と第２配管系統部２０とを備えている。なお、第１配管系統部１０と第２配管系統部２０とは、３０ｃｍから１００ｃｍ程度離れている。
【００１４】
配管部品Ｐは、例えば、亜鉛メッキ鋼管であるが、各種配管の一部、継手、バルブ、ポンプなどが挙げられる。配管部品Ｐを第１配管系統部１０と第２配管系統部２０とで区別するために、配管部品Ｐ１，Ｐ２と称するが、同材料で、略同寸法のものがよい。
【００１５】
第１配管系統部１０は、流体源Ｔに接続された第１供給手段１１と、第１供給手段１１から流体Ｆ１が供給される第１収納手段１２と、第１循環手段１３と、を有している。流体源Ｔとしては、通常、水道水などの上水、工業用水などが利用されるが、浄化すべき排水（廃水）でもよく、また、液体に限らず、蒸気や気体でもよく、汚泥などのヘドロ状又はスラリー状の流動体、粉体・粉粒体であってもよい。
【００１６】
第１供給手段１１は、流体Ｆ１を改質する第１改質手段１４を設置可能な箱状のものであり、円筒状の容器として形成されている。そして、第１供給手段１１は、内部が視認できる、ガラスやアクリルなどの透明材料で形成されているのが好ましい。なお、容器の形状や材質はこれに限らず、流体Ｆ１の種類に応じた耐圧、耐熱性、耐薬品性を考慮したもので形成するとよい。
【００１７】
第１収納手段１２は、第１供給手段１１から流体Ｆ１が供給されるとともに、配管部品Ｐ１を収納可能な箱状のものであり、第１供給手段１１と同様に円筒状の容器として形成されている。そして、第１収納手段１２は、内部が視認できる、ガラスやアクリルなどの透明材料で形成されているのが好ましい。なお、容器の形状や材質はこれに限らず、また、容器の内容積は、第１供給手段１１よりも大きくても、同じであっても、小さくてもよい。
【００１８】
第１循環手段１３は、第１収納手段１２から排出された流体Ｆ１を第１供給手段１１に循環させるもので、第１循環配管１３１と、第１循環ポンプ１３２とで構成されている。ただし、第１配管系統部１０で流体Ｆ１を循環させることなく、ワンウェイで使用する場合は、開閉バルブ１０ａ，１０ｂを切替えて、流体源Ｔからの流体Ｆ１を第１収納手段１２から下水などに直接排出させてもよいし、また、第１循環ポンプ１３２を設けなくてもよい。あるいは、流体Ｆ１を循環させるが、定期的に排水し、流体Ｆ１を入れ替えるように構成してもよい。
【００１９】
さらに、第１配管系統部１０は、第１調整バルブ１５及び第１流量計１６を有しており、第１循環ポンプ１３２又は第１調整バルブ１５を手動又は自動で調整することで、第１供給手段１１への供給流量を制御することができる。
【００２０】
また、第１配管系統部１０の第１循環配管１３１や第１供給手段１１と第１収納手段１２とを接続する接続管などは、流体Ｆ１に汚染され難い材質、例えば、耐酸性、耐アルカリ性、耐薬品性、耐腐食性、電気絶縁性に優れたポリ塩化ビニル製の管・ホース・チューブで形成されるとよい。
【００２１】
一方、第２配管系統部２０は、流体源Ｔに接続された第２供給手段２１と、第２供給手段２１から流体Ｆ２が供給される第２収納手段２２と、第２循環手段２３と、を有している。
【００２２】
第２供給手段２１は、流体Ｆ２を改質する第２改質手段２４を設置可能な箱状のものであり、円筒状の容器として形成されている。そして、第２供給手段２１は、内部が視認できる、ガラスやアクリルなどの透明材料で形成されているのが好ましい。なお、第１供給手段１１と同形状及び同内容積であることが好ましい。
【００２３】
第２収納手段２２は、第２供給手段２１から流体Ｆ２が供給されるとともに、配管部品Ｐ２を収納可能な箱状のものであり、第２供給手段２１と同様に円筒状の容器として形成されている。そして、第２収納手段２２は、内部が視認できる、ガラスやアクリルなどの透明材料で形成されているのが好ましい。なお、第１収納手段１２と同形状及び同内容積であることが好ましい。
【００２４】
第２循環手段２３は、第２収納手段２２から排出された流体Ｆ２を第２供給手段２１に循環させるもので、第２循環配管２３１と、第２循環ポンプ２３２とで構成されている。ただし、第２配管系統部２０で流体Ｆ２を循環させることなく、ワンウェイで使用する場合は、開閉バルブ２０ａ，２０ｂを切替えて、流体源Ｔからの流体Ｆ２を第２収納手段２２から下水などに直接排出させてもよいし、また、第２循環ポンプ２３２を設けなくてもよい。あるいは、流体Ｆ２を循環させるが、定期的に排水し、流体Ｆ２を入れ替えるように構成してもよい。
【００２５】
さらに、第２配管系統部２０は、第２調整バルブ２５及び第２流量計２６を有しており、第２循環ポンプ２３２又は第２調整バルブ２５を手動又は自動で調整することで、第２供給手段２１への供給流量を制御することができる。
【００２６】
また、第２配管系統部２０の第２循環配管２３１や第２供給手段２１と第２収納手段２２とを接続する接続管などは、流体Ｆ２に汚染され難い材質、例えば、耐酸性、耐アルカリ性、耐薬品性、耐腐食性、電気絶縁性に優れたポリ塩化ビニル製の管・ホース・チューブで形成されるとよい。
【００２７】
ここで、第１改質手段１４及び第２改質手段２４は、電気分解やイオン交換や薬剤や磁気などの物理的又は化学的作用の改質方法により流体Ｆ１，Ｆ２を改質する。そのため、第１改質手段１４及び第２改質手段２４は、第１供給手段１１及び第２供給手段２１の内部及び／又は外部に設置される。例えば、第１改質手段１４及び第２改質手段２４が、電気分解やイオン交換や薬剤により液体を改質するものであれば、第１供給手段１１及び第２供給手段２１の内部に設置され、磁気作用により液体を改質するものであれば、第１供給手段１１及び第２供給手段２１の外部又は内部に設置される。なお、第１供給手段１１及び第２供給手段２１は、第１改質手段１４又は第２改質手段２４を設置できるように、分解・組立可能な構造になっており、内部及び外部に第１改質手段１４又は第２改質手段２４を取り付ける取付治具などが設けられていてもよい。
【００２８】
また、比較実験装置１は、第１収納手段１２に収納された配管部品Ｐ１及び第２収納手段２２に収納された配管部品Ｐ２の経時変化を観察する観察手段３０と、観察手段３０による観察結果を表示する表示手段４０と、比較実験の開始からの時間などを計測する計時手段５０と、を備えている。
【００２９】
撮像手段３１０は、可視光領域を撮像可能な通常のビデオカメラなど連続的に撮像できるものが好ましいが、１時間毎や毎日など定期的に撮像できるデジタルカメラなどでもよい。また、撮像手段３１０は、配管部品Ｐ１及び配管部品Ｐ２を拡大して観察できるように、ズーム機能を有するとより好ましい。さらに、撮像手段３１０は、防水機能を有すれば、第１収納手段１２及び第２収納手段２２の内部に設置することもできる。
【００３０】
この撮像手段３１０は、第１収納手段１２に収納された配管部品Ｐ１を撮像する第１撮像手段３１１と、第２収納手段２２に収納された配管部品Ｐ２を撮像する第２撮像手段３１２と、で構成されている。ただし、撮像手段３１０は、第１収納手段１２に収納された配管部品Ｐ１及び第２収納手段２２に収納された配管部品Ｐ２を同時撮像することが可能であれば、１台で構成されてもよい。なお、撮影環境に応じて、背景暗幕や照明などを適宜配置してもよい。
【００３１】
ただし、観察対象の状況によっては、撮像手段３１０は、可視光領域だけでなく、赤外線領域や紫外線領域を撮像できるように、構成された赤外線カメラ、紫外線カメラであってもよく、赤外線フィルタ（可視光線カットフィルタ）などを取り付けたものでもよい。また、撮像手段３１０でなく、反射分光器などを観察手段３０として用いてもよい。
【００３２】
表示手段４０は、撮像手段３１０が撮像した画像・映像をリアルタイム（ライブ）又は録画により表示するもので、液晶モニタなどが用いられる。表示手段４０は、撮像手段３１０の出力端子に直接接続されてもよいが、図示されない通信回線（ＬＡＮ、インターネット、携帯電話回線など）を介して撮像手段３１０に接続されていてもよい。つまり、撮像された画像・映像をＨＤＤなどの記憶手段に（一時又は逐次）記録して、ストリーミング配信により表示手段４０に表示（出力）させてもよいし、録画完了したファイルをアップロードし、ファイルをダウンロードできるように配信して、表示手段４０に表示させてもよい。
【００３３】
計時手段５０は、比較実験の開始から計測した時間（経過時間）を、例えば、○年○月○日○時○分○秒などを表示するもので、赤色ＬＣＤなどを用いて表示する。なお、経過時間と現在時間とを上下に並列表示してもよい。
【００３４】
図２は、表示手段４０の表示形態を示す概略図である。
ここで、表示手段４０の表示形態について一例を説明すると、表示手段４０は、第１収納手段１２に収納された配管部品Ｐ１及び第２収納手段２２に収納された配管部品Ｐ２と、計時手段５０の経過時間と、を少なくとも含むように、一画面に表示する。また、表示手段４０は、第１収納手段１２に収納された配管部品Ｐ１及び第２収納手段２２に収納された配管部品Ｐ２を、それぞれ観察できるように、表示することもできる。くわえて、録画映像であれば、早送り、コマ送り、巻き戻し再生などを行えるようにしてもよい。
【００３５】
最後に、比較実験装置１を用いた比較実験方法について、説明する。
比較実験装置１の第１改質手段１４として、遠赤外線を放射するセラミックスにより流体Ｆ１を改質するものを第１供給手段１１の内部に設置し、第２改質手段２４として、磁気により流体Ｆ２を改質するものを第２供給手段２１の外部に設置した。また、流体源Ｔに上水を採用し、配管部品Ｐ１，Ｐ２に亜鉛メッキ鋼管（ＳＧＰＷ）を採用し、第１収納手段１２及び第２収納手段２２に収納した。
【００３６】
この比較実験装置１により、図２に示すように、配管部品Ｐ１，Ｐ２に発生した赤錆ＲＲが黒錆ＢＲに変化する様子を、比較観察することができる。もちろん、白錆（酸化亜鉛）、スケール（炭酸カルシウム）、スライムなどの発生・成長状況など他の経時変化を観察してもよい。
【００３７】
以上説明したとおり、本発明に係る実施形態の比較実験装置１は、配管部品Ｐの経時変化を試験する比較実験装置１であって、流体源Ｔに接続され、流体Ｆ１を改質する第１改質手段１４を設置可能な第１供給手段１１と、第１供給手段１１から流体Ｆ１が供給されるとともに、配管部品Ｐ１を収納する第１収納手段１２と、を有する第１配管系統部１０と、流体源Ｔに接続され、流体Ｆ２を改質する第２改質手段２４を設置可能な第２供給手段２１と、第２供給手段２１から流体Ｆ２が供給されるとともに、配管部品Ｐ２を収納する第２収納手段２２と、を有する第２配管系統部２０と、を備えるものである。
【００３８】
これにより、作業者は、比較実験装置１の前で、配管部品Ｐの経時変化を観察することができ、第１改質手段１４及び第２改質手段２４の改質性能を比較することができる。また、配管部品Ｐを第１収納手段１２及び第２収納手段２２の内部に収納するため、配管部品Ｐの材質に限られることなく、容易に比較実験を行うことができる。また、第１配管系統部１０と第２配管系統部２０とは、３０ｃｍから１００ｃｍ程度離れているため、第１改質手段１４及び第２改質手段２４の改質能力が相互に干渉することがない。
【００３９】
また、実施形態では、第１収納手段１２に収納された配管部品Ｐ１及び第２収納手段２２に収納された配管部品Ｐ２の経時変化を観察する観察手段３０を備え、観察手段３０は、配管部品Ｐを撮像する撮像手段３１０である。
【００４０】
これにより、作業者は、比較実験装置１の前に居なくても、配管部品Ｐの経時変化を観察手段３０で観察することができる。また、第１収納手段１２及び第２収納手段２２が視認できる材料で形成されていなくても、観察手段３０により内部を観察することができる。
【００４１】
さらに、観察手段３０による観察データ（映像、データ）を記録媒体に保存することで、観察データを持ち出したり、外部送信したりすることができるため、配管部品Ｐ、第１改質手段１４及び第２改質手段２４などの製品の営業（プレゼン）・販売などに利用することができる。
【００４２】
以上、本発明の好ましい実施形態について詳述したが、本発明は上述した実施形態に限定されるものではなく、請求の範囲に記載された本発明の要旨の範囲内において、種々の変形、変更が可能である。
【００４３】
図３は、本発明に係る第２実施形態の比較実験装置１を示す概略図である。
上記実施形態では、配管部品Ｐ１，Ｐ２の観察手段３０として、非接触センサ系である撮像手段３１０を採用したが、第２実施形態では、配管部品Ｐ１，Ｐ２の性状を直接計測する計測手段３２０（第１計測手段３２１，第２計測手段３２２）を採用している。配管部品Ｐ１，Ｐ２の性状としては、電気抵抗などの電気特性や透磁率などの磁気特性が挙げられるが、これに限らない。この場合、表示手段４０に、計測された配管部品Ｐ１，Ｐ２の電気特性などを同時又は個別に表示し、各計測データは、記録媒体に保存（ロギング）される。
【００４４】
第２実施形態によれば、作業者による直接又は間接の目視観察でなく、配管部品Ｐに直接取り付け可能な（接触センサ系の）計測手段３２０により、配管部品Ｐの性状、例えば、電気特性、磁気特性を計測することで、第１改質手段１４及び第２改質手段２４による流体Ｆ１，Ｆ２の改質性能を種々の計測値で比較することができる。
【００４５】
図４は、本発明に係る第３実施形態の比較実験装置１を示す概略図である。
上記実施形態では、配管部品Ｐ１，Ｐ２を観察したが、第３実施形態では、測定手段６０（第１測定手段６１，第２測定手段６２）で、第１供給手段１１から供給される流体Ｆ１及び第２供給手段２１から供給される流体Ｆ２の性状をそれぞれ測定し、比較対象実験を行う。
【００４６】
このとき、流体Ｆ１及び流体Ｆ２は、第１配管系統部１０及び第２配管系統部２０に設置された第１サンプリング手段１７及び第２サンプリング手段２７に採取され、性状が測定される。
【００４７】
測定する流体Ｆ１，Ｆ２の性状としては、電気特性（例えば、電気伝導度）、特定成分の濃度（例えば、カルシウム、残留塩素、溶存酸素、鉄分）、ＰＨ値、色度・濁度、臭気、細菌（例えば、レジオネラ菌）の検出数などが挙げられる。そして、表示手段４０に、測定された流体Ｆ１，Ｆ２の性状を表示し、各測定データは、記録媒体に保存される。
【００４８】
第３実施形態によれば、作業者による直接又は間接の目視観察でなく、第１供給手段１１及び第２供給手段２１から供給される流体Ｆ１，Ｆ２の性状を直接測定することで、第１改質手段１４及び第２改質手段２４の改質性能を比較することができる。
【００４９】
（変形例）
上記各実施形態では、比較実験装置１は、第１配管系統部１０及び第２配管系統部２０を備えたが、更に第３配管系統部を備えてもよく、同時に３以上の複数の比較対象実験を行えるように構成してもよい。
【００５０】
また、上記各実施形態において、撮像手段３１０と計測手段３２０とを併用してもよいし、観察手段３０と測定手段６０とを併用してもよい。
【００５１】
さらに、上記各実施形態では、第１改質手段１４及び第２改質手段２４の効果を確認するために、配管部品Ｐ１，Ｐ２を同じ材質のものとしたが、第１改質手段１４と第２改質手段２４とを同じものとし、例えば、炭素鋼鋼管（ＳＧＰ）と亜鉛メッキ鋼管（ＳＧＰＷ）とのように、配管部品Ｐ１，Ｐ２の材質を異ならせて、材質の違いによる経時変化を比較対象観察できるように構成してもよい。
【００５２】
あるいは、上記各実施形態において、第１供給手段１１には、第１改質手段１４を設置し、流体Ｆ１を改質するが、第２供給手段２１には、第２改質手段２４を設置することなく、流体Ｆ２を改質しないようにして、同じ材質の配管部品Ｐ１，Ｐ２の経時変化を比較対象観察できるように構成してもよい。これにより、第１改質手段１４の改質性能をより効果的に確認することができる。
【００５３】
また、上記各実施形態において、第１供給手段１１、第２供給手段２１・・・第ｎ供給手段に、第１改質手段１４をそれぞれ設置し、流体Ｆ１の供給開始時期を、例えば１ヶ月又は１年ずつ異ならせて、比較実験をおこなってもよい。これにより、経時時間の異なる配管部品Ｐ１，Ｐ２・・・Ｐｎを、同時に観察することができる。
【００５４】
ところで、上記各実施形態では、流体源Ｔが液体の場合の第１配管系統部１０及び第２配管系統部２０の構成を説明してきたが、流体源Ｔが気体の場合は、空気中の酸素や二酸化炭素と反応しないように、第１配管系統部１０及び第２配管系統部２０内を真空引きするために、真空ポンプを付加してもよく、また、流体源Ｔが粉体の場合は、第１配管系統部１０及び第２配管系統部２０内で粉体を流動させる吸引又は圧送ポンプ（ブロア）を付加してもよい。
【符号の説明】
【００５５】
１      比較実験装置
１０    第１配管系統部
１１  第１供給手段、１２  第１収納手段、１３  第１循環手段、１３１  第１循環配管、１３２  第１循環ポンプ、  １４  第１改質手段、１５  第１調整バルブ、１６  第１流量計、１７  第１サンプリング手段
２０    第２配管系統部
２１  第２供給手段、２２  第２収納手段、２３  第２循環手段、２３１  第２循環配管、２３２  第２循環ポンプ、２４  第２改質手段、２５  第２調整バルブ、２６  第２流量計、２７  第２サンプリング手段
３０    観察手段
３１０  撮像手段、３１１  第１撮像手段、３１２  第２撮像手段
３２０  計測手段、３２１  第１計測手段、３２２  第２計測手段
４０    表示手段
５０    計時手段
６０    測定手段、６１  第１測定手段、６２  第２測定手段
Ｐ，Ｐ１，Ｐ２    配管部品
Ｆ１    流体、Ｆ２  流体、Ｔ  流体源
ＢＲ    黒錆、ＲＲ  赤錆
【要約】
本発明は、配管部品の材質に限られることなく、容易に比較実験を行える比較実験装置を提供することを目的とする。
本発明は、配管部品（Ｐ）の経時変化を試験する比較実験装置（１）であって、流体源に接続され、流体を改質する改質手段（１４）を設置可能な第１供給手段（１１）と、第１供給手段（１１）から流体が供給されるとともに、配管部品（Ｐ）を収納する第１収納手段（１２）と、を有する第１配管系統部（１０）と、流体源に接続され、流体を改質する第２改質手段（２４）を設置可能な第２供給手段（２１）と、第２供給手段（２１）から流体が供給されるとともに、配管部品（Ｐ）を収納する第２収納手段（２２）と、を有する第２配管系統部（２０）と、を備える、ものである。【図１】
0006494890.tif 000002
【図２】
0006494890.tif 000003
【図３】
0006494890.tif 000004
【図４】
0006494890.tif 000005